(57)【特許請求の範囲】
【請求項１】
周縁部に間隔をおいて複数の爪を立設したデフレクタと、該デフレクタを支持するガイドロッドとを備えたスプリンクラヘッドにおいて；
前記ガイドロッドと対向する爪の両側にある爪の高さを、前記デフレクタに立設した他の全ての爪の高さよりも高くしたことを特徴とするスプリンクラヘッド。
【請求項２】
周縁部に間隔をおいて複数の爪を立設したデフレクタと、該デフレクタを支持するガイドロッドとを備えたスプリンクラヘッドにおいて；
前記ガイドロッドと対向する爪の両側にある爪の幅を、前記ガイドロッドと対向する爪を除く他の爪の幅よりも広くしたことを特徴とするスプリンクラヘッド。 
【請求項３】
周縁部に間隔をおいて複数の爪を立設したデフレクタと、該デフレクタを支持するガイドロッドとを備えたスプリンクラヘッドにおいて；
前記ガイドロッドと対向する爪の両側にある爪の高さを、他の爪の高さよりも高くし、かつ、前記両側の爪の幅を、前記ガイドロッドと対向する爪を除く他の爪の幅よりも広くしたことを特徴とするスプリンクラヘッド。
【請求項４】
前記複数の爪のうち、ガイドロッドと対向する爪の高さが、最も低いことを特徴とする請求項１、２、又は、３記載のスプリンクラヘッド。 
【発明の詳細な説明】
【技術分野】
【０００１】
この発明は、消火設備に設けられているスプリンクラヘッドに関するものであり、更に述べると、ガイドロッドに支持されているデフレクタを備えたスプリンクラヘッドに関するものである。
【背景技術】
【０００２】
従来のフラッシュ型スプリンクラヘッドは、ヘッド本体の中央に放水口を設け、該ヘッド本体の鍔部に円筒フレームを螺着し、該円筒フレームに感熱分解部を装着し、該感熱分解部により放水口を封鎖する弁体や消火水を分散せしめるデフレクタが支持されている。このデフレクタは、複数本のガイドロッドを介してストッパリングに固定されている。
【０００３】
この様なスプリンクラヘッドにおいては、ヘッドの中心部にある放水口からの消火水がガイドロッドに衝突するので、該ガイドロッドの裏側方向の領域が他の部分よりも散水量が少なくなり、均一な散水が行えない、という問題がある。ここで、ガイドロッドの裏側方向とは、デフレクタの中心方向を表側としており、デフレクタの外周方向をさしている。
そこで、この問題を解決するために、デフレクタの周縁部に爪（羽根）を直立して設け、ガイドロッドと対向する位置の爪だけには、切欠を設けたスプリンクラヘッドが開発されている（例えば、特許文献１、参照）。このスプリンクラヘッドでは、前記切欠から流れる水により、ガイドロッド裏側方向の散水量の低下を防いでいる。
【０００４】
【特許文献１】実公平３−１３３３４号公報
【発明の開示】
【発明が解決しようとする課題】
【０００５】
従来例では、切欠を設けることで、ガイドロッドの裏側方向にも水が流れ込む様にしているが、該切欠に至るまでに、ガイドロッドに衝突して水流が二分されるので、該切欠のある爪までに到達する水量がもとから少なく、均一な散水をするには不十分であった。
【０００６】
本件発明は、ガイドロッドと対向する爪だけでなく、その両側の爪の形状も改良することで、ガイドロッドの裏側方向の散水量を増やして、均一な散水を行うことのできるスプリンクラヘッドを得ることを目的とする。
【課題を解決するための手段】
【０００７】
この発明は、周縁部に間隔をおいて複数の爪を立設したデフレクタと、該デフレクタを支持するガイドロッドとを備えたスプリンクラヘッドにおいて；前記ガイドロッドと対向する爪の両側にある爪の高さを、前記デフレクタに立設した他の全ての爪の高さよりも高くしたことを特徴とする。
【０００８】
この発明は、周縁部に間隔をおいて複数の爪を立設したデフレクタと、該デフレクタを支持するガイドロッドとを備えたスプリンクラヘッドにおいて；前記ガイドロッドと対向する爪の両側にある爪の幅を、前記ガイドロッドと対向する爪を除く他の爪の幅よりも広くしたことを特徴とする。    
【０００９】
この発明は、周縁部に間隔をおいて複数の爪を立設したデフレクタと、該デフレクタを支持するガイドロッドとを備えたスプリンクラヘッドにおいて；前記ガイドロッドと対向する爪の両側にある爪の高さを、他の爪の高さよりも高くし、かつ、前記両側の爪の幅を、前記ガイドロッドと対向する爪を除く他の爪の幅よりも広くしたことを特徴とする。
【００１０】
この発明の前記複数の爪のうち、ガイドロッドと対向する爪の高さが、最も低いことを特徴とする。
【発明の効果】
【００１１】
この発明は、以上の様に構成したので、ガイドロッドと対向する爪の両側の爪は、該ガイドロッドに衝突して分けられた水流を、従来よりも多く受けることができる。そして、前記両側の爪にあたった水流の一部は、進行方向を変え、該ガイドロッドの裏側方向に流れるため、前記ガイドロッドの裏側の散水を従来より増やすことができるので、全体として均一な散水分布を得ることができる。
【発明を実施するための最良の形態】
【００１２】
本件発明者は、ガイドロッドの裏側方向にも十分に消火水を散布するためには、ガイドロッドと対向する爪の両側の爪が受ける水流量を、増大させればよいと考えた。
【００１３】
そこで、研究実験を重ねた結果、前記両側の爪の面積を他の爪の面積より大きくすればよいことが分かった。この爪の面積は、次の（１）、（２）、（３）により大きくすることができる。
（１）前記両側の爪の高さを他の爪の高さより高くすること。
（２）前記両側の爪の幅を、ガイドロッドと対向する爪を除く他の爪の幅より広くすること。
（３）前記両側の爪の高さを、他の爪の高さより高くするとともに、その幅を、ガイドロッドと対向する爪を除く他の爪の幅より広くすること。
この発明は、上記知見に基づいてなされたものである。
【実施例】
【００１４】
この発明の第１実施例を図１〜図７により説明する。
天井に配設されている図示しないスプリンクラヘッド配管には、フラッシュ型スプリンクラヘッドＳＰが連結されている。このヘッドＳＰは、ヘッド本体１の中央に放水口３を設け、その鍔部５には、円筒フレーム７が螺着されている。前記円筒フレーム７には、弁体９を前記放水口３に押し付け圧力水を封止する感熱分解部１１と、ガイドロッド１３を介してストッパリング１５に連結されているデフレクタ１７と、が設けられている。デフレクタ１７は、このガイドロッド１３により支持されている。
【００１５】
１９はデフレクタ１７内を落下するアームガイド、２１は弁体９を支持するバランサ、２３は半田（可溶片）２５を収容したシリンダ、２７は椀状の感熱板、３０は前記半田２５を押圧するピストン、３５はガイドロッド１３の嵌着穴、３７はアームガイド１９の脚部の摺動落下用長穴、をそれぞれ示す。
【００１６】
デフレクタ１７の周縁部には、間隔をおいて複数の爪３１，３２，３３が立設されている。前記爪３１は、ガイドロッド１３と対向する爪（浅立爪）で、水平に対して角度θ傾斜し（図５参照）、その高さはｈ（図４参照）、幅はｗ（第２図参照）に形成されている。例えば、前記角度θ＝４５度、高さｈ＝２．１ｍｍ、幅ｗ＝２．６ｍｍ、に形成されている。
【００１７】
前記爪３２は、前記ガイドロッド１３と対向する爪３１の両側の爪（三角直立爪）で、ほぼ垂直状に形成され、その浅立爪３１側の側部は、三角形状に切り欠かれている。該爪３２の高さはｈ1（図４参照）、幅はｗ１（第２図参照）に形成されている。例えば、前記高さｈ1＝３．１ｍｍ、幅ｗ1＝２．６ｍｍ、に形成されている。  
【００１８】
前記爪３３は、垂直状に形成された従来の爪（角形爪）であり、この爪３３の高さはｈ２（図４参照）、幅はｗ２（第２図参照）、に形成されている。例えば、前記高さｈ２＝２．６ｍｍ、幅ｗ２＝１．９ｍｍ、に形成されている。  
【００１９】
前記爪３１、３２、３３の関係をまとめると、三角直立爪３２の高さｈ１は、他の爪３１、３３の高さｈ、ｈ２より高く、その幅ｗ１は、浅立爪３１の幅ｗと同一であるが、角形爪３３の幅ｗ２よりも広く形成されている。
【００２０】
なお、浅立爪３１と三角直立爪３２との間の溝３８は、角形爪３３間の溝３９よりも中心側に深く入り込んでいる。そして、この溝３８の先端部分から浅立爪３１は、上方に向かって折り曲げられている(図５、図６参照)。又、浅立爪３１の径、即ち、デフレクタ１７の中心からの距離は、三角直立爪３２より短く形成され、前記爪３２、３３よりも少しデフレクタ１７の中心側に引っ込んでいる。
【００２１】
次に、本実施例の作動について説明する。
火災が発生すると、スプリンクラヘッドＳＰの半田２５が火災熱により溶融し、ピストン３０が摺動し、感熱分解部１１が分解する。
【００２２】
そうすると、ストッパリング１５が円筒フレーム７内を落下して、該円筒フレーム７の下端部に係止し、前記デフレクタ１７は円筒フレーム７から離れるとともに、弁体９がアームガイド１９に案内されながら落下して放水口３が開放される。この弁体９は、図７に示すように、前記デフレクタ１７に着座し、前記長穴３７を塞ぐ。
【００２３】
放水口３から放出される消火水ｗは、弁体９に衝突して分散され、デフレクタ１７上を爪３１、３２、３３に向かって進行する。この分散された消火水ｗのうち、ガイドロッド１３に向かって流れる水流ｗ１は、図６に示すように、該ガイドロッド１３に衝突して２つに分けられ、水流ｗ２となる。
【００２４】
前記水流ｗ２は、直進して、ガイドロッド１３と対向する浅立爪３１の両側の三角直立爪３２にあたる。この爪３２にあたった水流ｗ２の一部は、水流ｗ３となって前記浅立爪３１側に向かう。
【００２５】
この時、三角直立爪３２は、高さ及び幅が大きく形成され、他の爪３１、３３よりも爪面積が大きいので、前記ガイドロッド１３によって分流された水流ｗ２をたくさん受けることができる。
【００２６】
前記三角直立爪３２にあたった消火水ｗ２の一部ｗ３は、ガイドロッド１３の裏側方向に流れる。そのため、三角直立爪３２の爪面積を大きくすることにより、ガイドロッド１３の裏側方向の散水を増やすことができる。従って、ガイドロッド１３の裏側近傍の散水分布を、設計通りにすることができる。
【００２７】
この時、三角直立爪３２は、切り欠かれており、浅立爪３１側に向かって上端を三角形状に傾斜させているので、水流ｗ３は浅立爪３１側に流れやすくなっている。なお、ｗ４は、浅立爪３１から半径方向外側に飛散する水流を示す。
また、浅立爪３１の両側にある溝３８は、ガイドロッド１３側に深く入り込んでいるので、ガイドロッド１３によって分流された水流ｗ２を下方に落としてガイドロッド１３の裏側方向におけるヘッド近傍の散水量を増加させる。
また、浅立爪３１は、ガイドロッド１３の近くで上方に向かって折れ曲がるので、ガイドロッド１３によって分流された水流ｗ２であって、かつ、その後ガイドロッド１３の円周に沿って流れる水流を浅立爪３１上に集中的に集めてガイドロッド１３の裏側方向に向かって効率よく散水させる。
【図面の簡単な説明】
【００２８】
【図１】本発明の実施例を示す一部断面正面図である。
【図２】デフレクタの平面図である。
【図３】図２のIII−III線断面図である。
【図４】図２の側面の要部拡大図である。
【図５】図２のＶ−Ｖ線断面の要部拡大図である。
【図６】弁体が着座したデフレクタの要部拡大平面図である。
【図７】スプリンクラヘッドが作動し、弁体がデフレクタに着座した状態を示す断面の一部を示す断面図である。
【符号の説明】
【００２９】
１    ヘッド本体
１３  ガイドロッド
１７  デフレクタ
３１  浅立爪
３２  三角直立爪
３３  角形爪
ＳＰ  スプリンクラヘッド
【図１】
0004795828.tif 000002
【図２】
0004795828.tif 000003
【図３】
0004795828.tif 000004
【図４】
0004795828.tif 000005
【図５】
0004795828.tif 000006
【図６】
0004795828.tif 000007
【図７】
0004795828.tif 000008